(57)【要約】　　　（修正有）【課題】足裏を刺激し、且つ足部の筋肉をほぐし、足への血液の循環を促進して、疲れを解消する足部マッサージ器を提供する。【解決手段】足部マッサージ器は、主に足裏のツボをマッサージするローラー２０両側に押圧板３０を設置し、その押圧板は凸輪盤４０周辺縁に固定される。その凸輪盤の中心には連動軸５０の球部５１が嵌合され、連動軸に相互に対応する凸輪盤両側には駆動盤６０が固定される。更に連動軸とローラーに対応する一端には、方向変換部品７０とローラーが相互に枢設される。これによってローラーが回転すると、方向変換部品によって同時に連動軸が往復回転運動し、駆動盤が凸輪盤を押さえ、球部が軸心となってねじり回転し、押圧板がローラー方向に往復運動し、踏んでいるローラー上方の足部の筋肉に押圧作用を加え、同時に足裏ツボをマッサージし、足部の筋肉を揉み解す。【選択図】図３
0003096898.tif 000002
【実用新案登録請求の範囲】
【請求項１】
足部マッサージ器は、台部にモーターが納置され、動力源の駆動部品で、モーターの駆動によって台部のローラーが回転し、そのローラーの面上には凸粒が成形され、使用時には足裏を回転するローラー上に乗せるもので、凸粒によって押圧作用を備え、更には足裏のツボを刺激する効果があるもので、ローラー両側には押圧板が設置され、その押圧板は凸輪盤の周辺縁に固定され、凸輪盤の中心に連動軸が設置され、この連動軸とローラーの対応する一端には方向変換部品とローラーが相互に枢設され、この方向変換部品には１８０度に一筋の差込槽が成形され、ローラーの一側面の連動軸は差込ピンによって差込槽に差し込まれて連結するもので、
ローラーが回転すると、方向変換部品によって連動軸が往復回転し、駆動盤によって凸輪盤がねじり運動し、押圧板はローラーに向かって往復運動し、モーターが正回転の時、両押圧板は同時に挟んだり、緩んだりし、ローラーを踏んでいる足のふくらはぎ等の筋肉を押圧したり、揉んだりすることによって、足裏のツボをマッサージすると同時に足部の筋肉を押圧してマッサージするもので、
モーターが逆回転の時、方向変換部品が１８０度回転し、両押圧板間を平行にして、揉む効果を備えることを特徴とする足部マッサージ器。
【請求項２】
前記連動軸は、軸桿に球部が設置され、凸輪盤の中心に相互に嵌合され、凸輪盤が球部を軸心にして捻り運動し、安定した捻り効果を備えることを特徴とする請求項１記載の足部マッサージ器。
【請求項３】
前記駆動盤と凸輪盤の間には、鋼鉄玉が設置され、鋼鉄玉によって、駆動盤と凸輪盤間の摩擦を和らげることを特徴とする請求項１または２記載の足部マッサージ器。
【請求項４】
前記足部マッサージ器は、二組のローラーと押圧板が設置されることを特徴とする請求項１、２または３記載の足部マッサージ器。
【請求項５】
前記台部は、適所に叩打装置が設置され、両足を叩く作用を備えることを特徴とする請求項１、２、３または４記載の足部マッサージ器。
【請求項６】
前記両側押圧板は、両足との対応する一側面に振動装置を設置し、押圧板が両足を押圧する時、同時に振動作用を備えることを特徴とする請求項１、２、３、４または５記載の足部マッサージ器。
【考案の詳細な説明】
【０００１】
【考案の属する技術分野】
本考案は、足部マッサージ器に関するもので、足裏のツボのマッサージと足部筋肉をほぐす押圧を同時に行うマッサージ構造で、足裏を刺激し、且つ足部の筋肉をほぐし、足への血液の循環を促進して、疲れを解消するものである。
【０００２】
【従来の技術】
長時間立ち仕事をする場合、血液は重力の作用によって足や足裏を圧迫するため、疲労が蓄積し易く、ひどい場合には血液循環不良などの症状が出ることがある。このため、足裏マッサージ器が市場に多く出ている。これらは基本的に足裏を刺激してマッサージし、足の血液の循環を促進して、足の疲労を解消する。
また、足裏マッサージ器にはローラーを足裏のツボに当て、電動でマッサージを行うものが多い。これは主にモーターの駆動によってローラーが適度な回転速度で回転し、使用者は足裏を回転するローラーに乗せる。そのローラー上には凸粒が成形され、足裏に押圧作用を施し、更には足裏のツボを刺激する効果がある。
【０００３】
【考案が解決しようとする課題】
しかしながら、この種の足部マッサージ器は、足裏のツボを刺激するだけで、その他の機能は設置されておらず、これでは使用者の足部の疲労をスピーディーに解消することはできない。
【０００４】
本考案の目的は足部マッサージ器を提案することにある。
【０００５】
【課題を解決するための手段】
上記課題を解決するために、本考案の請求項１記載の足部マッサージ器は、台部にモーターが納置され、動力源の駆動部品で、モーターの駆動によって台部のローラーが回転する。そのローラーの面上には凸粒が成形され、使用時には足裏を回転するローラー上に乗せるもので、凸粒が押圧作用を備え、更には足裏のツボを刺激する効果がある。
ローラー両側には押圧板が設置され、その押圧板は凸輪盤の周辺縁に固定され、凸輪盤の中心に連動軸が設置される。この連動軸とローラーの対応する一端には方向変換部品とローラーが相互に枢設され、この方向変換部品には１８０度に一筋の差込槽が成形され、ローラーの一側面の連動軸は差込ピンによって差込槽に差し込まれて連結する。ローラーが回転すると、方向変換部品によって連動軸が往復回転し、駆動盤によって凸輪盤がねじり運動し、押圧板はローラーに向かって往復運動し、モーターが正回転の時、両押圧板は同時に挟んだり、緩んだりしてローラーを踏んでいる足のふくらはぎ等の筋肉を押圧したり、揉んだりし、足裏のツボをマッサージすると同時に足部の筋肉を押圧してマッサージする。また、モーターが逆回転の時、方向変換部品が１８０度回転し、両押圧板間を平行にして、揉む効果を備えることを特徴とする。
【０００６】
本考案の請求項２記載の連動軸は、請求項１記載の連動軸であって、軸桿に球部が嵌合され、凸輪盤の中心に相互に設置され、凸輪盤が球部を軸心にして捻り運動し、安定した捻り効果を備えることを特徴とする。
【０００７】
本考案の請求項３記載の駆動盤と凸輪盤の間は、請求項１または２記載の駆動盤と凸輪盤の間であって、鋼鉄玉が設置され、鋼鉄玉によって、駆動盤と凸輪盤間の摩擦を和らげることを特徴とする。
【０００８】
本考案の請求項４記載の足部マッサージ器は、請求項１、２または３記載の足部マッサージ器であって、二組のローラーと押圧板が設置されることを特徴とする。
【０００９】
本考案の請求項５記載の台部は、請求項１、２、３または４記載の台部であって、適所に叩打装置が設置され、両足を叩く作用を備えることを特徴とする。
【００１０】
本考案の請求項６記載の両側押圧板は、請求項１、２、３、４または５記載の両側押圧板であって、両足との対応する一側面に振動装置を設置し、押圧板が両足を押圧する時、同時に振動作用を備えることを特徴とする。
【００１１】
【考案の実施の形態】
以下、本考案の実施例を図面に基づいて説明する。
先ず、足部マッサージ器は、図１に示すとおり、台部１０にモーターＭを動力源とする駆動部品（図示せず）が納置され、モーターＭの駆動によって台部１０上に設置されたローラー２０が回転する。そのローラー２０の輪面には凸粒２１が成形され、使用時には図４に示すように、使用者の足裏が回転するローラー上に当たり、ローラー２０の凸粒２１が足裏に対して押圧を行い、足裏のツボを刺激する効果を備える。
【００１２】
図２及び図３に示すとおり、ローラー２０の両側には別に押圧板３０が設置される。その押圧板３０は凸輪盤４０の周辺縁にそれぞれ固定され、その凸輪盤４０の中心は連動軸５０上に形成された球部５１が嵌合され、連動軸５０は凸輪盤４０の盤面両側に対応して駆動盤６０に固定される。更に連動軸５０とローラーの対応する一端には、方向変換部品７０とローラー２０が相互に枢設され、その方向変換部品７０は、一筋１８０度の差込槽７１が成形される。そのローラー２０の一側面の連動軸５０は、差込ピン７２によって差込槽７１内に入れ、相互に連結する。別に固定ピン７３を固定孔５２及び定位孔７４に挿入して定位し、連動軸５０が１８０度往復運動する時、両押圧板３０が同時に挟んだり、緩めたりして平行状態を変化させる。更に駆動盤６０と凸輪盤４０の盤面間に鋼鉄玉６１を設置し、鋼鉄玉６１の作用によって駆動盤６０と凸輪盤４０間の摩擦を和らげる。
【００１３】
ローラー２０が回転すると、方向変換部品７０と同時に連動軸５０が往復回転を行い、駆動盤６０によって凸輪盤４０が押さえられ、球部５１が軸心となってねじり運動する。モーターＭが正回転の場合、図４、図６及び図７に示すとおり、両押圧板３０がローラー２０に向かって往復運動し、踏んでいるローラー２０上方の足部の筋肉であるふくらはぎ部分を挟み込んだり、緩めたりする押圧を行って、揉み解す。更に同時に足裏のツボマッサージ及び足部筋肉のマッサージを行う。また、モーターＭが逆回転した場合、方向変換部品７０は連動軸５０を１８０度回転させ、両押圧板３０間を平行に保ち、足部の筋肉及び足裏を、揉み解す。
【００１４】
当然、本考案の足部マッサージ器は、両足同時に使用する方法もあり、二組のローラー２０及び押圧板３０の組合せにより、使用者の両足を同時にマッサージする。また図１に示す方法で、手腕を両ローラー２０内側の押圧板３０中間に置き、押圧板３０が作動することによって、手腕部の筋肉をマッサージする。更に台部１０の適する箇所に叩打装置８０を設置して叩く作用を備える。また、両側の押圧板３０と両足が相互に対応する一側面に振動装置９０を設置し、押圧板３０が両足に押圧を行う時、同時に振動機能も備える。
【００１５】
本考案の足部マッサージ器は、同時に足裏のツボマッサージと足部の筋肉の押圧を行うマッサージ構造であり、上述の実施説明及び図示は本考案の実施例の一例であり、本考案の構造、装置、特徴などに近似するもの、雷同するものはすべて本考案に含まれる。
【００１６】
【考案の効果】
以上説明したように、本考案の足部マッサージ器は、主に足裏のツボをマッサージするローラー両側に押圧板を設置し、その押圧板は凸輪盤周辺縁に固定される。その凸輪盤の中心には連動軸の球部が嵌合され、連動軸に相互に対応する凸輪盤両側には駆動盤が固定される。更に連動軸とローラーに対応する一端には、方向変換部品とローラーが相互に枢設される。これによってローラーが回転すると、方向変換部品によって同時に連動軸が往復回転運動し、駆動盤が凸輪盤を押さえ、球部が軸心となってねじり回転し、押圧板がローラー方向に往復運動し、踏んでいるローラー上方の足部の筋肉に押圧作用を加え、同時に足裏ツボをマッサージするという特徴を有する。それにより、足裏を刺激し、且つ足部の筋肉をほぐし、足への血液の循環を促進して、疲れを解消するのに効果的である。
【図面の簡単な説明】
【図１】本考案に関する外観平面構造図である。
【図２】本考案に関するローラーと連動軸及び方向変換部品間の構造分解図である。
【図３】本考案に関するローラー、連動軸、方向変換部品及び凸輪盤間の構造断面図である。
【図４】本考案に関する押圧板がローラーに近づいた動作時の使用状態図である。
【図５】本考案に関する押圧板がローラーから遠ざかった動作時の使用状態図である。
【図６】本考案に関する押圧板がローラーに遠ざかった動作時の別の使用状態図である。
【図７】本考案に関する押圧板がローラーに近づいた動作時の別の使用状態図である。
【符号の説明】
１０　台部
２０　ローラー
２１　凸粒
３０　押圧板
４０　凸輪盤
５０　連動軸
５１　球部
５２　固定孔
６０　駆動盤
６１　鋼鉄球
７０　方向変換部品
７１　差込槽
７２　差込ピン
７３　固定ピン
７４　定位孔
８０　叩打装置
９０　振動装置
Ｍ　モーター
【図１】
0003096898.tif 000003
【図２】
0003096898.tif 000004
【図３】
0003096898.tif 000005
【図４】
0003096898.tif 000006
【図５】
0003096898.tif 000007
【図６】
0003096898.tif 000008
【図７】
0003096898.tif 000009